(57)【要約】【課題】ペダル取付作業が容易にできる商品搬出装置のペダル取付構造を提供すること。【解決手段】本体に設けた一対の軸穴に軸を挿通して回動可能にペダルを取り付けた商品搬出装置のペダル取付構造において、上ペダル３０の正面向かって左側の側部にペダル軸３１を一体に形成する一方、右側の側部に当該ペダル軸３１と同一軸芯となるペダル軸穴３２を形成し、正面向かって左側の軸穴にペダル軸３１を挿通し、右側の軸穴に挿通した短軸４０をペダル軸穴３２に嵌入するようにした。【選択図】        図５
2007148551.tif 000002
【特許請求の範囲】
【請求項１】
本体に設けた一対の軸穴に軸を挿通して回動可能にペダルを取り付けた商品搬出装置のペダル取付構造において、
ペダルの一方の側部にペダル軸を一体に形成する一方、他方の側部に当該ペダル軸と同一軸芯となるペダル軸穴を形成し、
一方の軸穴にペダル軸を挿通し、他方の軸穴に挿通した短軸をペダル軸穴に嵌入したことを特徴とする商品搬出装置のペダル取付構造。
【請求項２】
本体に設けた一対の軸穴に軸を挿通して回動可能にペダルを取り付けた商品搬出装置のペダル取付構造において、
ペダルの一方の側部に短軸を一体に形成する一方、他方の側部に当該短軸と同一軸芯となる長軸を一体に形成し、
長軸を一方の軸穴に挿通した後に、短軸を他方の軸穴に挿通したことを特徴とする商品搬出装置のペダル取付構造。
【発明の詳細な説明】
【技術分野】
【０００１】
本発明は、自動販売機に適用される商品搬出装置のペダル取付構造に関するものである。
【背景技術】
【０００２】
図１１は、一般的な自動販売機を示したもので、特に、缶入り飲料やビン入り飲料、あるいはペットボトル入り飲料等の商品販売に好適な自動販売機を例示したものである。図１１に示すように、このような自動販売機の商品収容庫１の内部には、商品収納ラック２が収容してある。商品収納ラック２は、商品収容庫１の内部に複数の種類の商品を個別に収納することができるもので、複数の商品収納通路３およびトップトレイ４を備えている。
【０００３】
商品収納通路３は、一対の側板５の間に適宜セグメント６を配設することにより構成してあり、二つの商品収納通路３が一対となっている。各商品収納通路３は、上下方向に沿って蛇行状に延設されており、個々の上端部が投入口となっている一方、個々の下端部が搬出口となっている。通常の自動販売機では、商品収容庫１の奥行き方向（図１１において左右方向）に沿って商品収納ラック２を複数配設することにより、複数の商品収納通路３が設けてある。なお、図に示す例では三つの商品収納ラック２を配設することにより、６列の商品収納通路３が設けてある。
【０００４】
トップトレイ４は、収容庫の上端部においてその手前側（図１１において左方）から奥側（図１１において右方）に向けて漸次低くなる態様で傾斜配置された板状部材である。各トップトレイ４の奥方側端部は、対応する商品収納通路３の投入口において終端している。
【０００５】
また、上記商品収納ラック２には、各商品収納通路３の下端部において、一対の側板５の間に対向する態様で通路規制板１０１が配設してあり、その中央には、商品搬出装置１０２が背中合わせに配設してある。通路規制板１０１は、商品搬出装置１０２との間に商品搬出通路１０３を画成するべく該商品搬出装置１０２に対向し、商品収納通路３に収納された商品の外径寸法に応じて適宜調節することが可能である。
【０００６】
商品搬出装置１０２は、図１２に示すように、上下一対のペダル１０４，１０５と、ベンドソレノイド１０６、およびリンク機構１０７を有している。下ペダル１０５は、回動自在に軸支してあり、図１２−１に示すように、商品搬出通路１０３に突出することにより、商品搬出通路１０３の最下段に位置する商品を支持可能である。上ペダル１０４は、下ペダル１０５と同様に、回動自在に軸支してあり、図１２−２に示すように、商品搬出通路１０３に突出することにより、商品搬出通路１０３の下から二段目に位置する商品を支持可能である。上ペダル１０４と下ペダル１０５とは、リンク機構１０７を介してベンドソレノイド１０６と連結してある。
【０００７】
この商品搬出装置１０２は、自動販売機が販売待機状態において、図１２−１に示すように、下ペダル１０５が突出する一方、上ペダル１０４が待避しており、商品搬出通路１０３の最下段に位置する商品を支持している。そして、販売信号を受信した場合に、ベンドソレノイド１０６を励磁して、図１２−２に示すように、上ペダル１０４を突出させるとともに下ペダル１０５を待避させる。すると、商品搬出通路１０３の最下段に位置する商品を搬出するとともに、上ペダル１０４が商品搬出通路１０３の下から二段目に位置する商品を支持することになる。その後、ベンドソレノイド１０６を脱磁して、下ペダル１０５を突出させるとともに上ペダル１０４を待避させる。すると、商品搬出通路１０３の下から二段目に位置していた商品は、図１２−１に示すように、下ペダル１０５に支持され、商品搬出通路１０３の最下段に位置する商品となる。このようにして、商品収納通路３および商品搬出通路１０３に収納してある商品は、販売信号を受信するごとに商品搬出通路１０３から商品を搬出することになる。そして、商品搬出通路１０３から搬出された商品は、商品収容庫１の前方に向けて漸次低くなるように傾斜配置したシュータ７を滑走または転動して自動販売機の商品取出口に送出される（例えば、特許文献１参照）。
【０００８】
【特許文献１】特開２００３−１０９０９７号公報
【発明の開示】
【発明が解決しようとする課題】
【０００９】
ところで、上記した商品搬出装置１０２は、図１３に示すように、本体１０８に一対の軸穴１０８ａを設けるとともに、上ペダル１０４に幅方向に貫通する軸穴１０４ａが設けてあり、本体１０８に設けた一方の軸穴１０８ａ、上ペダル１０４に設けた軸穴１０４ａ、本体１０８に設けた他方の軸穴１０８ａの順番に軸１０９を挿通して、上ペダル１０４を回動可能に取り付けてある。したがって、軸１０９は、上ペダル１０４を貫通し、本体１０８に設けた一対の軸穴１０８ａに支承されるに足りる長さが必要となり、本体１０８に設けた一方の軸穴１０８ａ、上ペダル１０４に設けた軸穴１０４ａ、本体１０８に設けた他方の軸穴１０８ａの順番に軸１０９を挿通させて、上ペダル１０４を取り付けるので、ペダル取付作業が困難なものとなっていた。また、上ペダル１０４を貫通し、本体１０８に設けた一対の軸穴１０８ａに支承されるに足りる長さの軸１０９を必要とするために、部材が増えてしまうこととなっていた。
【００１０】
本発明は、上記実情に鑑みて、ペダル取付作業が容易にできる商品搬出装置のペダル取付構造を提供することを目的とする。
【課題を解決するための手段】
【００１１】
上記の目的を達成するために、本発明の請求項１にかかる商品搬出装置のペダル取付構造は、本体に設けた一対の軸穴に軸を挿通して回動可能にペダルを取り付けた商品搬出装置のペダル取付構造において、ペダルの一方の側部にペダル軸を一体に形成する一方、他方の側部に当該ペダル軸と同一軸芯となるペダル軸穴を形成し、一方の軸穴にペダル軸を挿通し、他方の軸穴に挿通した短軸をペダル軸穴に嵌入したことを特徴とする。
【００１２】
また、本発明の請求項２にかかる商品搬出装置のペダル取付構造は、本体に設けた一対の軸穴に軸を挿通して回動可能にペダルを取り付けた商品搬出装置のペダル取付構造において、ペダルの一方の側部に短軸を一体に形成する一方、他方の側部に当該短軸と同一軸芯となる長軸を一体に形成し、長軸を一方の軸穴に挿通した後に、短軸を他方の軸穴に挿通したことを特徴とする。
【発明の効果】
【００１３】
本発明にかかる商品搬出装置のペダル取付構造は、ペダルの一方の側部にペダル軸を一体に形成する一方、他方の側部に当該ペダル軸と同一軸芯となるペダル軸穴を形成し、一方の軸穴にペダル軸を挿通した後、他方の軸穴に挿通した短軸をペダル軸穴に嵌入し、ペダルを取り付ければよいので、ペダル取付作業が容易にできる。また、ペダルを取り付ける取付軸（短軸）を短くできるため、安価なペダル取付構造を提供できる。
【００１４】
また、本発明にかかる商品搬出装置のペダル取付構造は、ペダルの一方の側部に短軸を一体に形成する一方、他方の側部に当該短軸と同一軸芯となる長軸を一体に形成し、長軸を一方の軸穴に挿通し、ペダルを一方の軸穴側に移動した後に、短軸を他方の軸穴に挿通し、ペダルを所定の位置に移動して取り付ければよいので、ペダル取付作業が容易にできる。また、ペダルを取り付けるための軸を別途用意する必要がなく、安価なペダル取付構造を提供できる。
【発明を実施するための最良の形態】
【００１５】
以下に添付図面を参照して、本発明にかかる商品搬出装置のペダル取付構造の好適な実施例を詳細に説明する。なお、この実施例によりこの発明が限定されるものではない。
【００１６】
たとえば、ここで例示する商品搬出装置のペダル取付構造は、商品搬出装置の上ペダルに適用したものであるが、商品搬出装置の上ペダルのペダル取付構造に限られるものではなく、商品搬出装置の下ペダルに適用してもよい。
【実施例１】
【００１７】
図１および図２は本発明の実施例１にかかる商品搬出装置のペダル取付構造を示す斜視図、図３および図４は図１および図２に示した本体の斜視図、図５および図６は図１および図２に示した上ペダルの斜視図である。
【００１８】
本発明の実施例１にかかる商品搬出装置１０のペダル取付構造は、上述したように、商品搬出装置１０の上ペダル３０に適用したものであって、図１および図２に示すように、上ペダル３０を商品搬出装置１０の本体２０に取り付けたものである。
【００１９】
図３および図４に示すように、商品搬出装置１０の本体２０は、金属製の板状体を裏面側（商品搬出装置の内部側）に適宜折り曲げて、箱状に形成したものであって、中央部略下側に開口部２１が設けてある。開口部２１の上縁と下縁、および両側縁は、それぞれ背面側に延在し、縁部が形成してある。これら縁部のうち、両側縁部２２，２３には、それぞれ上ペダル取付軸穴２２ａ，２３ａが形成してある。
【００２０】
上ペダル３０は、樹脂（たとえば、ポリアセタール）により一体に形成したものであり、図５および図６に示すように、上ペダル３０の一方の側部下方には、ペダル軸３１が形成してあり、他方の側部下方には、当該ペダル軸３１と同一軸芯となるペダル軸穴３２が形成してある。ペダル軸３１は、本体２０に形成した一方の上ペダル取付軸穴２２ａに挿通可能である。ペダル軸穴３２は、有底の軸穴であって、本体２０に形成した他方の上ペダル取付軸穴２３ａに挿通した短軸４０が嵌入可能である。図５および図６に例示した上ペダル３０は、正面向かって左側となる側部の下方にペダル軸３１が一体に形成してあり、右側となる側部の下方にペダル軸穴３２が形成してある。
【００２１】
このように形成した上ペダル３０は、ペダル軸３１を本体２０に形成した正面向かって左側となる上ペダル取付軸穴２２ａに挿通させて、開口部２１に上ペダル３０を収容した後、本体２０に形成した右側となる上ペダル取付軸穴２３ａから挿通した短軸４０をペダル軸穴３２に嵌入することにより、本体２０に取り付けられる。
【００２２】
このように取り付けた上ペダル３０は、商品搬出通路に進出し、商品搬出通路に収納してある商品を支持可能であり、商品搬出通路から下ペダルが退避して、最下段の商品を落下搬出する際に、商品搬出通路に進出して、当該商品の上に積み重ねてある商品（下から二段目の商品）を支持可能となる。
【００２３】
また、このように上ペダル３０を取り付けた本体２０の側部には、図２に示すように、配線ガイド４１が取り付けてある。配線ガイド４１は、コの字状に形成してあり、ベンドソレノイド４２および品切れ検出スイッチ４３等のハーネスの配線を容易にするとともに、側部がペダル軸穴３２に嵌入した短軸４０と当接し、上ペダル３０のペダル軸穴３２からの短軸４０の脱落を防止する。
【００２４】
上述した実施例１にかかる商品搬出装置１０のペダル取付構造によれば、上ペダル３０の正面向かって左側の側部にペダル軸３１を一体に形成する一方、右側の側部に当該ペダル軸３１と同一軸芯となるペダル軸穴３２を形成し、本体２０の正面向かって左側となる上ペダル取付軸穴２２ａにペダル軸３１を挿通した後、右側となる上ペダル取付軸穴２３ａに挿通した短軸４０をペダル軸穴３２に嵌入し、上ペダル３０を取り付ければよいので、ペダル取付作業が容易となる。また、従来のペダル取付構造のように、上ペダルを貫通し、本体に設けた一対の軸穴に支承されるに足りる長さの軸を必要とせず、短軸４０により、上ペダル３０を取り付けるので、安価なペダル取付構造とすることができる。
【実施例２】
【００２５】
図７および図８は本発明の実施例２にかかる商品搬出装置のペダル取付構造を示す斜視図、図９および図１０は図７および図８に示した上ペダルの斜視図である。
【００２６】
本発明の実施例２にかかる商品搬出装置５０のペダル取付構造は、実施例１にかかる商品搬出装置１０のペダル取付構造と同様に、商品搬出装置５０の上ペダル６０に適用したものであって、図７および図８に示すように、上ペダル６０を商品搬出装置５０の本体２０に取り付けたものである。なお、実施例２にかかる商品搬出装置５０のペダル取付構造の本体２０は、実施例１にかかる商品搬出装置のペダル取付構造の本体と異なるところはないので、説明を省略する。
【００２７】
上ペダル６０は、樹脂（たとえば、ポリアセタール）により一体に形成したものであり、上ペダル６０の一方の側部の下方には、ペダル軸（短軸）６１が形成してあり、他方の側部の下方には、当該ペダル軸６１と同一軸芯となるペダル軸（長軸）６２が形成してある。図７および図８に例示した上ペダル６０は、正面向かって左側となる側部の下方にペダル軸（短軸）６１が一体に形成してあり、右側となる側部の下方にペダル軸（長軸）６２が一体に形成してある。
【００２８】
そして、上ペダル６０の一方側の下方、図７および図８に例示した上ペダルにあっては正面向かって右側となる側部の下方は、切り欠き６３が設けてあり、一方のペダル軸（長軸）６２が他方のペダル軸（短軸）６１よりも長くなるように形成してある。
【００２９】
このように形成した上ペダル６０は、上ペダル６０に設けた切り欠き６３が本体２０の開口部２１の右側部と干渉しないように手前側に引き起こした状態で、長軸（ペダル軸）６２を本体２０に形成した正面向かって右側となる上ペダル取付軸穴２３ａに挿通して、上ペダル６０を開口部２１右側に寄せた後、本体２０に形成した左側となる上ペダル取付軸穴２２ａに挿通し、上ペダル６０を所定の位置に移動することにより、本体２０に取り付けられる。
【００３０】
このように取り付けた上ペダル６０は、商品搬出通路に進出し、商品搬出通路に収納してある商品を支持可能であり、商品搬出通路から下ペダルが退避して、最下段の商品を落下出する際に、商品搬出通路に進出して当該商品の上に積み重ねてある商品（下から二段目の商品）を支持可能となる。
【００３１】
また、このように上ペダル６０を取り付けた本体２０の側部には、実施例１にかかる商品搬出装置のペダル取付構造と同様に、配線ガイド４１が取り付けてある。配線ガイド４１は、側部がペダル軸穴に挿通した長軸（ペダル軸）６２と当接し、本体２０から上ペダル６０の脱落を防止する。
【００３２】
上述した実施例２にかかる商品搬出装置５０のペダル取付構造によれば、上ペダル６０の正面向かって右側の側部に短軸（ペダル軸）６１を一体に形成する一方、左側の側部に当該短軸６１と同一軸芯となる長軸（ペダル軸）６２を一体に形成し、本体の正面向かって右側となる上ペダル取付軸穴２３ａに長軸（ペダル軸）６２を挿通した後に、左側となる上ペダル取付軸穴２２ａに短軸（ペダル軸）６１を挿通し、上ペダル６０を取り付ければよいので、ペダル取付作業が容易となる。
【００３３】
また、上ペダル６０に短軸（ペダル軸）６１と長軸（ペダル軸）６２とを一体に形成し、別個独立した軸を必要としないので、商品搬出装置５０の上ペダル取付構造を少ない部品で構成できる。
【産業上の利用可能性】
【００３４】
以上のように、本発明にかかる商品搬出装置のペダル取付構造は、自動販売機に適用される商品搬出装置のペダル取付構造に有用であり、特に、缶入り飲料、ビン入り飲料、ペットボトル入り飲料等の商品を販売する自動販売機に適用される商品搬出装置のペダル取付構造に適している。
【図面の簡単な説明】
【００３５】
【図１】本発明の実施例１にかかる商品搬出装置のペダル取付構造を示す正面斜視図である。
【図２】本発明の実施例１にかかる商品搬出装置のペダル取付構造を示す背面斜視図である。
【図３】図１および図２に示した本体の正面斜視図である。
【図４】図１および図３に示した本体の背面斜視図である。
【図５】図１および図２に示した上ペダルの正面斜視図である。
【図６】図１および図２に示した上ペダルの背面斜視図である。
【図７】本発明の実施例２にかかる商品搬出装置のペダル取付構造を示す正面斜視図である。
【図８】本発明の実施例２にかかる商品搬出装置のペダル取付構造を示す背面斜視図である。
【図９】図７および図８に示した上ペダルの正面斜視図である。
【図１０】図７および図８に示した上ペダルの背面斜視図である。
【図１１】一般的な自動販売機を概念的に示した側断面図である。
【図１２−１】搬出待機状態を示す商品搬出装置の側断面図である。
【図１２−２】搬出状態を示す商品搬出装置の側断面図である。
【図１３】従来の商品搬出装置のペダル取付構造を示す背面斜視図である。
【符号の説明】
【００３６】
１０    商品搬出装置
２０    本体
２１    開口部
２２，２３    側縁部
２２ａ，２３ａ    上ペダル取付軸穴
３０    上ペダル
３１    ペダル軸
３２    ペダル軸穴
４０    短軸
４１    配線ガイド
４２    ベンドソレノイド
４３    検出スイッチ
５０    商品搬出装置
６０    上ペダル
６１    ペダル軸（短軸）
６２    ペダル軸（長軸）
６３    切り欠き
【図１】
2007148551.tif 000003
【図２】
2007148551.tif 000004
【図３】
2007148551.tif 000005
【図４】
2007148551.tif 000006
【図５】
2007148551.tif 000007
【図６】
2007148551.tif 000008
【図７】
2007148551.tif 000009
【図８】
2007148551.tif 000010
【図９】
2007148551.tif 000011
【図１０】
2007148551.tif 000012
【図１１】
2007148551.tif 000013
【図１２−１】
2007148551.tif 000014
【図１２−２】
2007148551.tif 000015
【図１３】
2007148551.tif 000016